(57)【要約】【課題】  衛生的な管理が可能であり、かつ利便性の高い女性体温計を提供する。【解決手段】  本体部１１０の一部が、収納ケース１５０に収納される女性体温計１００であって、収納状態で外部から視認可能な表示部１１３と、収納状態で操作可能な入力ボタン１１４と、リードスイッチのＯＮ／ＯＦＦに基づいて、本体部１１０が収納状態にあるか否かを判断する演算制御部と、を備え、前記判断部の判断結果に応じて、体温測定処理の実行許否を決定するとともに、入力ボタン１１４の操作により選択可能な機能を変更することを特徴とする。【選択図】  図１Ｂ
2012021886.tif 000002
【特許請求の範囲】
【請求項１】
温度計測部を含む本体部の一部が、収納ケースに収納される女性体温計であって、
前記本体部上であって、前記収納ケースに該本体部の一部が収納された状態において、外部から視認される位置に配された表示部と、
前記本体部上であって、前記収納ケースに該本体部の一部が収納された状態において、外部から操作可能な位置に配された操作部と、
前記本体部が前記収納ケースに収納された状態にあるか否かを判断する判断部と、を備え、
体温測定処理の実行許否を、前記判断部における判断結果に応じて決定するとともに、前記女性体温計が有する機能として前記表示部に表示される機能のうち、前記操作部によって選択することが可能な機能を、前記判断部における判断結果に応じて変更することを特徴とする女性体温計。
【請求項２】
前記判断部において、前記本体部が前記収納ケースに収納された状態にあると判断された場合には、少なくとも、前記体温測定処理の実行が制限されることを特徴とする請求項１に記載の女性体温計。
【請求項３】
前記判断部において、前記本体部が前記収納ケースに収納された状態にないと判断された場合には、少なくとも前記本体部が日付と対応付けて記憶している基礎体温データを用いて実行する処理の処理結果を表示する機能が制限されることを特徴とする請求項１に記載の女性体温計。
【請求項４】
前記本体部は、前記収納ケースに収納された場合に、該収納ケースに設けられた磁性体によりＯＦＦ状態となるリードスイッチを備え、前記判断部は、該リードスイッチがＯＮ状態にあるかＯＦＦ状態にあるかに基づいて、前記本体部が前記収納ケースに収納された状態にあるか否かを判断することを特徴とする請求項１に記載の女性体温計。
【発明の詳細な説明】
【技術分野】
【０００１】
本発明は、女性体温計に関するものである。
【背景技術】
【０００２】
女性の基礎体温は高温相と低温相とが周期的に変化する２相性を有しており、女性体温計はその基礎体温を測定するために利用される。ユーザは当該女性体温計を用いて測定した基礎体温を記録し、トレンドグラフを作成・表示させることで、高温相と低温相の周期を知ることができる。
【０００３】
一般に、女性体温計には、作成されたトレンドグラフに基づいて、次回生理日や次回排卵日を予測する予測機能や、当該トレンドグラフと対応付けて日々の体調を入力するメモ入力機能といった各種機能が搭載されている。
【０００４】
また、女性体温計は、舌下体温の測定を前提としており、衛生的な管理が必要であることから、不使用時に、本体部を収納する収納ケースが備えられている。
【先行技術文献】
【特許文献】
【０００５】
【特許文献１】特開２００７−６８８３９号公報
【発明の概要】
【発明が解決しようとする課題】
【０００６】
しかしながら、従来の女性体温計に備えられている収納ケースは、本体部全体を覆う構成となっており、一旦、収納ケースに入れてしまうと、ユーザは、本体部に対して操作を行うことができず、それゆえ上記各種機能を利用することもできない。このため、従来は、例えば、基礎体温の測定を行わず、メモ入力機能のみを利用しようとした場合であっても、本体部を収納ケースから取り出す必要があり、ユーザにとって利便性がよいとはいえなかった。
【０００７】
また、収納ケースから取り出した状態で、所望の機能を利用しようとすると、不用意に本体部の先端（温度計測部）に触れてしまった場合に、ユーザの意図に反して、体温測定処理が開始されてしまうといった事態も生じえた。
【０００８】
本発明は、上記課題に鑑みてなされたものであり、衛生的な管理が可能であり、かつ、利便性の高い女性体温計を提供することを目的とする。
【課題を解決するための手段】
【０００９】
上記の目的を達成するために、本発明に係る女性体温計は以下のような構成を備える。即ち、
温度計測部を含む本体部の一部が、収納ケースに収納される女性体温計であって、
前記本体部上であって、前記収納ケースに該本体部の一部が収納された状態において、外部から視認される位置に配された表示部と、
前記本体部上であって、前記収納ケースに該本体部の一部が収納された状態において、外部から操作可能な位置に配された操作部と、
前記本体部が前記収納ケースに収納された状態にあるか否かを判断する判断部と、を備え、
体温測定処理の実行許否を、前記判断部における判断結果に応じて決定するとともに、前記女性体温計が有する機能として前記表示部に表示される機能のうち、前記操作部によって選択することが可能な機能を、前記判断部における判断結果に応じて変更することを特徴とする。
【発明の効果】
【００１０】
本発明によれば、衛生的な管理が可能であり、かつ、利便性の高い女性体温計を提供することが可能となる。
【図面の簡単な説明】
【００１１】
【図１Ａ】本発明の一実施形態に係る女性体温計（本体部及び収納ケース）の外観構成を示す図である。
【図１Ｂ】本体部が収納ケースに収納された様子及び収納ケースの断面を示す図である。
【図２】女性体温計の本体部のシステム構成を示す図である。
【図３】女性体温計の本体部上に配された表示部の表示内容を示す図である。
【図４】女性体温計におけるモード遷移を示す図である。
【図５】女性体温計の体温測定処理の流れを示すフローチャートである。
【図６】本体部が収納ケースに収納された場合における表示部の表示内容と、収納ケースから取り出された場合における表示部の表示内容とを示す図である。
【発明を実施するための形態】
【００１２】
以下、本発明の各実施形態について図面を参照しながら説明する。
【００１３】
［第１の実施形態］
１．女性体温計の外観構成
はじめに、本発明の一実施形態に係る女性体温計の外観構成について図１Ａ及び図１Ｂを用いて説明する。女性体温計は、本体部１１０と、該本体部１１０を収納する収納ケース１５０とを備えており、図１Ａの（ａ）は、収納ケース１５０の正面図及び平面図を、図１Ａの（ｂ）は、本体部１１０の平面図をそれぞれ示している。
【００１４】
図１Ａの（ａ）に示すように、収納ケース１５０は、開口部１５２を有しており、本体部１１０の一部（先端部分）のみを覆うように構成されている。これにより、ユーザは、収納ケース１５０に本体部１１０を収納した状態であっても、本体部１１０上に配された表示部１１３を視認可能であり、かつ、入力ボタン１１４を操作可能である。
【００１５】
収納ケース１５０の先端位置には、φ２．５〜３ｍｍの通気孔１５３が設けられており、これにより、収納ケース１５０内の通気性が確保されている。また、収納ケース１５０内に水が溜まった場合には、当該通気孔１５３を介して、外部に排出させることができる。なお、収納ケース１５０の内側は、銀イオンが含まれる抗菌材により塗装されており、収納ケース１５０に収納された本体部１１０の衛生面が保たれている。
【００１６】
収納ケース１５０の底面には磁性体１５１が配されており、本体部１１０が収納ケース１５０に収納された状態で、該磁性体１５１に対応する位置に配された本体部１１０内のリードスイッチ（後述）をＯＦＦ状態にする。これにより、本体部１１０では、収納ケース１５０に収納中であることを認識することができる。
【００１７】
続いて、図１Ａの（ｂ）を参照しながら本体部１１０について説明する。図１Ａの（ｂ）において、１１１は耐衝撃性、耐薬品性を備えた合成樹脂によって形成された本体ケースであり、後述する演算制御部や、ブザー部、電池（電源部）等が収納されている。
【００１８】
１１２はステンレス製の金属キャップであり、内部にはサーミスタ（後述）等の温度計測部が接着剤により固定して収納されている（つまり、金属キャップ１１２は、サーミスタに対して体温（温度）を伝熱させるとともに、サーミスタを外部の衝撃等から保護する役割を担っている）。
【００１９】
１１３は表示部であり、数字・文字・図形（キャラクター、アイコン等）を表示可能な、ドットマトリックス液晶部等により構成されている。なお、表示部１１３に表示される表示内容の詳細は後述する。
【００２０】
本体ケース１１１上には、更に、表示部１１３上に表示された表示内容に基づいて、女性体温計１００の本体部１１０に各種指示を入力するための入力ボタン（操作部）１１４が設けられている。
【００２１】
入力ボタン１１４は、表示部１１３上に表示されたメニュー項目等の選択対象が選択状態にあることを示す識別子（カーソル）を移動させるための指示（移動指示）を与える左ボタン１２１、右ボタン１２２を備える。また、カーソルの移動先の選択対象について、設定値を変更したりするための指示（変更指示）を与える上ボタン１３１、下ボタン１３２を備える。更に、カーソルの移動先の選択対象（またはカーソルの移動先の選択対象について、変更された設定値）を決定するための決定ボタン１４０を備える。なお、決定ボタン１４０は、女性体温計１００の本体部１１０の電源ＯＮ／ＯＦＦスイッチとしての役割も担っている（決定ボタン１４０を長押しすることにより、電源がＯＮ状態またはＯＦＦ状態となる）。
【００２２】
さらに、図示しないが、女性体温計１００の本体部１１０には、パーソナルコンピュータ（ＰＣ）などをホストとして接続するための外部通信部（コネクタ等を含む）も備えられている。また、定時測定を促すための目覚まし機能も備えられており、別途設定された時刻になると目覚まし音を鳴らしてユーザに体温測定を促すよう構成されているものとする。
【００２３】
図１Ｂの（ａ）は、女性体温計１００の本体部１１０が収納ケース１５０に収納された様子を示している。図１Ｂの（ａ）に示すように、収納ケース１５０は、本体部１１０上に配された表示部１１３より先端部側（金属キャップ１１２側）のみを覆うよう構成されており、本体部１１０が収納ケース１５０に収納された状態であっても、ユーザは、表示部１１３に表示された表示内容を視認することができる。
【００２４】
また、入力ボタン１１４は、表示部１１３よりも更に後端部側に配されており、本体部１１０が収納ケース１５０に収納された状態であっても、ユーザは、入力ボタン１１４を自由に操作することができる。つまり、基礎体温の測定を行わず、後述する次回生理日表示機能やメモ入力機能等の各種機能のみを利用する場合においては、ユーザは、収納ケース１５０から本体部１１０を取り出すことなく、本体部１１０に対して各種指示を入力することができる。
【００２５】
なお、収納ケース１５０の内部には、本体部１１０の先端部側を収納する際に、本体部１１０を収納ケース１５０に滑らかに挿入できるようにするとともに、挿入後に、本体部１１０の先端部を収納ケース１５０内において固定できるようにするための、複数のリブが設けられている。
【００２６】
図１Ｂの（ｂ）は、収納ケース１５０の断面構成を示しており、収納ケース１５０内部に設けられたリブの配置を示している。図１Ｂの（ｂ）において、１６１は、本体部１１０が収納ケース１５０に挿入される際に、本体部１１０の先端部側の摺動路を規定し、本体部１１０を収納ケース１５０に滑らかに挿入するための案内リブである。また、１６２は、本体部１１０が収納ケース１５０に収納された状態で、本体部１１０の金属キャップ１１２を支持するための支持リブである。
【００２７】
２．女性体温計のシステム構成
次に、女性体温計１００の本体部１１０のシステム構成について図２を参照しながら説明する。図２は、女性体温計１００の本体部１１０のシステム構成を示す図である。
【００２８】
図２に示すように、女性体温計１００の本体部１１０は、温度を計測しそれをデジタル値として出力する温度計測部２１０と、計測された温度から予測温度を演算すると共に女性体温計１００全体を制御する演算制御部２２０と、測定結果を表示する、バックライト用のＬＥＤ２３１を備えた表示部２３０と、目覚まし音等の音声を出力するブザー部２４０と、ユーザからの操作を受け付ける入力部２５０と、各部に電源を供給する電源部２６０と、収納ケース１５０に収納されたか否かを検知するリードスイッチ２７０とを備える。
【００２９】
温度計測部２１０は、並列に接続された感温部に設置されたサーミスタ及びコンデンサと、測温用ＣＲ発振回路とから構成され、サーミスタの温度に対応するカウンタ２２６のカウント量の変化に従い、温度をデジタル量として出力する。なお、温度計測部２１０の構成は一例であって、これに限定されるものではない。
【００３０】
演算制御部２２０は、１日１回の測定から得られた測定値（基礎体温データ）及び入力部２５０により入力された各種入力値を日付及び時刻と対応付けて所定日数分（例えば２４０日分）記憶するとともに、月経周期ごと（生理初日から次の生理初日の前日まで）の中間データ等を一時記憶するＲＡＭ２２３と、体温測定処理に必要なパラメータや予測式プログラム等を格納したＲＯＭ（コンピュータ読取可能な記憶媒体）２２２と、時刻及び日付を管理するタイマ２２４とを備える。更に、表示部２３０を制御するための表示制御部２２７と、測温用ＣＲ発振回路の発振信号をカウントするカウンタ２２６と、ＲＯＭ２２２の予測式プログラムに従い予測演算等を行う演算処理部２２１とを備える。更に、カウンタ２２６や演算処理部２２１、表示制御部２２７を制御する制御回路２２５を備える。なお、測定値などを記憶する一時記憶領域には、不揮発性であって書き換え可能なメモリ等を用いるように構成してもよい。
【００３１】
入力部２５０には、上述した左ボタン１２１、右ボタン１２２、上ボタン１３１、下ボタン１３２、決定ボタン１４０などが含まれ、ユーザからの各種指示を受け付ける。
【００３２】
リードスイッチ２７０は、本体部１１０が収納ケース１５０に収納された場合に、収納ケース１５０内部に配された磁性体１５１により引きつけられることでＯＦＦ状態となる一方、本体部１１０が収納ケース１５０から取り出された場合に、ＯＮ状態となるよう構成されている。リードスイッチ２７０は演算処理部２２１と接続されており、演算処理部２２１では、リードスイッチ２７０のＯＮ／ＯＦＦ状態を監視することで、本体部１１０が収納ケース１５０に収納された状態にあるのか、本体部１１０が収納ケース１５０から取り出された状態にあるのかを判断することができる（つまり、演算処理部２２１は判断部として機能する）。
【００３３】
３．表示部の表示内容
次に、女性体温計１００の本体部１１０上に配された表示部１１３に表示される表示内容について説明する。図３は、女性体温計１００の本体部１１０上に配された表示部１１３に表示される表示内容の一例を示す図である。
【００３４】
図３において、３０１は女性体温計１００の各種機能を選択するための選択機能表示領域である。選択機能表示領域３０１に表示された各絵文字（アイコン）は、左から順に、メモ入力機能、次回生理日表示機能、次回排卵日表示機能、選択機能、目覚まし時刻設定機能、音量設定機能、時刻設定機能を選択するためのアイコンである。
【００３５】
３０２はメモ入力機能が選択された際に、入力されるメモ項目を選択するための選択メモ表示領域である。選択メモ表示領域３０２に表示された各絵文字（アイコン）は、左から順に、生理日、発熱を示すアイコンである。
【００３６】
３０３は測定データ表示領域であり、測定された基礎体温データを表示したり、過去の所定日数分の基礎体温データをトレンドグラフとして表示したりする。
【００３７】
３０４は設定情報表示領域であり、目覚まし時刻設定機能や音量設定機能等を用いてユーザが設定した設定内容を表示する。
【００３８】
３０５は現在日時表示領域であり、現在の日付（年月日）または時刻（時分）を表示する。３０６は内部状態表示領域であり、女性体温計１００の本体部１１０の内部状態を示す情報（例えば、電池の残量等）を表示する。
【００３９】
３０７は状態表示領域であり、次回排卵日が近づいていること、次回生理日が近づいていること、ならびに、低温相期であること、をそれぞれ示すマークが表示される。
【００４０】
なお、女性体温計１００の本体部１１０の各種機能（メモ入力機能、次回生理日表示機能、次回排卵日表示機能、目覚まし時刻設定機能、音量設定機能、時刻設定機能）の詳細については、例えば、上記特許文献１に既に開示されているため、ここでは説明を省略する。
【００４１】
４．女性体温計の動作モード
次に、女性体温計１００の本体部１１０における動作モードについて説明する。図４は、女性体温計１００の本体部１１０の動作モードの遷移を示すモード遷移図である。本実施形態に係る女性体温計１００の本体部１１０は、図４に示すモード遷移図に従って動作モードが遷移する。それぞれの動作モードは演算処理部２２１がＲＯＭ２２２に記憶されたプログラムを実行することにより実現される。以下、図４に示す各動作モードについて図３の表示内容を参照しながら詳細に説明する。
【００４２】
（ｉ）測定値表示モード：
決定ボタン１４０の長押しや目覚まし設定時刻の到来により、女性体温計１００の電源がＯＮ状態になるとデータ処理モードを経て測定値表示モードに遷移する。測定値表示モードでは、初期状態で現在日時や最近の測定値を表示する。また、左ボタン１２１および右ボタン１２２の操作により、指定された日の測定値とともに、指定された日に対応付けられたメモ項目が表示される。
【００４３】
なお、測定値表示モードではリードスイッチ２７０のＯＮ／ＯＦＦ状態と、温度計測部２１０による測定値の変化とを監視しており、リードスイッチ２７０がＯＮ状態となり、かつ、測定値の変化が体温測定開始条件を満たすと、測定モードに遷移する（つまり、リードスイッチ２７０がＯＮ状態にあるのかＯＦＦ状態にあるのかについての判断結果は、体温測定処理の実行許否を決定する際の条件となっている）。
【００４４】
また、測定値表示モードでは、選択機能表示領域３０１に表示されたアイコンのいずれかが選択されると、当該アイコンに対応する機能を実現すべく、対応するモード（メモモード、予測生理日表示モード、予測排卵日表示モード）に遷移する。
【００４５】
（ｉｉ）測定モード
測定モードでは、体温測定処理を実行する。なお、体温測定処理の詳細については後述する。また、体温測定処理が終了すると測定値表示モードに遷移する。
【００４６】
（ｉｉｉ）メモモード
女性体温計１００の本体部１１０の電源がＯＮ状態で、体温測定処理が終了し、かつ、測定された基礎体温が表示部１１３に表示された状態で、メモ入力機能が選択されると、メモモードに遷移する。
【００４７】
メモモードに遷移した直後は、選択メモ表示領域３０２の各絵文字（アイコン）のうち、「生理日」を示すアイコンが選択状態となって表示される。このため、ユーザは、左ボタン１２１および右ボタン１２２を押圧することにより、メモ入力したいメモ項目に対応するアイコンを選択する。
【００４８】
更に、決定ボタン１４０が押圧されることで、メモ入力が完了する。入力されたメモ項目は日付と対応付けられてＲＡＭ２２３に記憶され、その後、測定値表示モードに遷移する。
【００４９】
（ｉｉｉ）予測日表示モード：
選択機能表示領域３０１において“次回生理日表示機能”または“次回排卵日表示機能”を示すアイコンが選択されると予測生理日表示モードまたは予測排卵日表示モードに遷移する。これらの予測日表示モードでは、後述するデータ処理モードにより導出され、ＲＡＭ２２３に記憶された予測日（処理結果）が表示部１１３に表示される。具体的には、次回生理日、次回排卵日が表示部１１３に表示される。その後、ユーザによって決定ボタン１４０が押圧されると、測定値表示モードに遷移する。
【００５０】
（ｉｖ）データ処理モード：
データ処理モードは、測定モードにおいて測定された基礎体温の時系列データに対してデータ処理を実行するモードである。決定ボタン１４０の長押しにより電源がＯＮ状態になるたびに、あるいは、目覚まし設定時刻の到来により電源がＯＮ状態になった際に遷移する。
【００５１】
（ｖ）停止モード：
データ処理モードにおけるデータ処理終了後、あるいは、測定モードにおいて入力ボタン１１４の未入力状態が所定時間以上継続した場合には、停止モードに遷移する。なお、女性体温計１００の本体部１１０は、停止モードの状態であっても、回路全体の電源を断つわけではなく、目覚まし音等の音声出力を実行するために、タイマ２２４や演算処理部２２１等に対しては微弱ながら電力を供給する。
【００５２】
女性体温計１００の本体部１１０の動作モードには以上の５つのモードがある。なお、（ｉｉ）（ｉｉｉ）の各モードにおいては、入力ボタン１１４の入力がないまま所定時間が経過すると決定ボタン１４０が押圧された場合と同様に、測定値表示モードに遷移する。さらに、測定値表示モードにおいては、入力ボタン１１４の入力がないまま所定時間が経過すると停止モードに遷移する。
【００５３】
５．体温測定処理の流れ
次に、女性体温計１００の本体部１１０における体温測定処理の流れについて説明する。なお、ここでは、平衡温予測式の体温測定処理の流れについて説明するが、本発明はこれに限定されず、実測式、予測／実測を併用するタイプであってもよい。
【００５４】
決定ボタン１４０の長押し等により電源がＯＮ状態になると、図５に示す体温測定処理が開始される。なお、図５に示す体温測定処理は、例えば、演算処理部２２１において実行される。
【００５５】
ステップＳ５０１では、リードスイッチ２７０がＯＮ状態であるか否かを判定する。ステップＳ５０１において、リードスイッチがＯＮ状態であると判定された場合には、本体部１１０が収納ケース１５０から取り出されていると判断し、ステップＳ５０２に進む。
【００５６】
ステップＳ５０２では、女性体温計１００の本体部１１０の初期化が行われ、サーミスタによる温度計測が開始される。演算処理部２２１では、所定間隔、例えば、０．５秒おきに温度データの演算が行われる。
【００５７】
ステップＳ５０３では、体温計測開始条件が成立したか否かを判断する。具体的には、前回の温度計測により演算された温度データの値（つまり、０．５秒前の温度データの値）からの上昇度が、所定の値（例えば、１℃）以上となったか否かを判断する。
【００５８】
上昇度が所定の値以上となったと判断した場合には、体温測定開始条件が成立したと判断し、当該温度データを計測したタイミングを、予測体温演算の基準点（ｔ＝０）として設定する。つまり、女性体温計１００では、急激な温度上昇が計測されると、舌下に女性体温計１００の本体部１１０の先端（金属キャップ１１２）が当てられたものとみなす。
【００５９】
ステップＳ５０３において、体温測定開始条件が成立したと判断した場合には、ステップＳ５０４に進み、温度データの取り込みを開始する。具体的には、出力された温度データと、当該温度データを計測したタイミングとを、時系列データとしてＲＡＭ２２３に記憶する。
【００６０】
ステップＳ５０５では、ステップＳ５０４において記憶された温度データを用いて、所定の予測式により、予測体温を演算する。
【００６１】
ステップＳ５０６では、基準点（ｔ＝０）から所定時間（例えば２５秒）、経過した後に、ステップＳ５０５において算出された一定区間（例えば、ｔ＝２５〜３０秒）における予測値が、予め設定された予測成立条件を満たすか否かを判断する。具体的には、所定の範囲（例えば、０．１℃）以内に収まっているか否かを判断する。
【００６２】
ステップＳ５０６において、予測成立条件を満たすと判断された場合には、ステップＳ５０７に進み、温度計測を終了するとともに、ステップＳ５０９に進み、予測体温の演算が終了した旨の音声を出力し、表示部１１３に、演算された予測体温を表示する。
【００６３】
一方、ステップＳ５０６において、予測成立条件を満たさないと判断された場合には、ステップＳ５０８に進む。ステップＳ５０８では、基準点（ｔ＝０）から所定時間（例えば４５秒）経過したか否かを判断し、経過したと判断された場合には、温度計測を強制終了する。なお、強制終了した場合には、その際に演算されていた予測体温を、表示部１１３に表示する（ステップＳ５０９）。
【００６４】
ステップＳ５１０では、体温測定終了指示を受け付けたか否かを判断する。なお、体温測定終了指示には、例えば、決定ボタン１４０の長押しによる電源のＯＦＦ指示や、リードスイッチ２７０のＯＦＦ状態の検出が含まれるものとする。
【００６５】
ステップＳ５１０において、体温測定終了指示を受け付けていないと判断された場合には、ステップＳ５０３に戻る。一方、ステップＳ５１０において、体温測定終了指示を受け付けたと判断された場合には、体温測定処理を終了する。
【００６６】
以上の説明から明らかなように、本実施形態に係る女性体温計１００では、本体部１１０を収納ケース１５０に収納した状態であっても、本体部１１０上に配された表示部１１３を視認することができ、かつ、入力ボタン１１４を操作することができるように、収納ケース１５０を構成し、かつ表示部１１３及び入力ボタン１１４を配置することとした。
【００６７】
これにより、従来の女性体温計では、一旦、収納ケースに収納してしまうと、各種機能を利用することができなかったところ、本実施形態に係る女性体温計１００では、収納ケースから取り出すことなく、各種機能を利用することができるようになった。
【００６８】
また、本実施形態に係る女性体温計１００では、本体部１１０の電源がＯＮ状態となった場合において、測定表示モードから測定モードに遷移するための遷移条件として、リードスイッチ２７０がＯＮ状態であることを付加する構成とした。
【００６９】
これにより、女性体温計１００の本体部１１０の電源がＯＮ状態になった場合であっても、本体部１１０が収納ケース１５０から取り出されない限り、ユーザの意図に反して体温測定処理が開始されてしまうといったことがなくなる。
【００７０】
つまり、従来の女性体温計では、各種機能を利用している間に、ユーザが女性体温計の先端部に触れてしまった場合、ユーザの意図に反して、自動的に体温測定処理が開始されていたところ、本実施形態に係る女性体温計１００では、本体部１１０が収納ケース１５０から取り出されない限り、体温測定処理が開始されることがなくなるため、ユーザにとっての利便性が向上する。
【００７１】
この結果、衛生的な管理が可能であり、かつ、利便性が高く使い勝手のよい女性体温計を提供することが可能となった。
【００７２】
［第２の実施形態］
上記第１の実施形態では、本体部１１０が収納ケース１５０に収納されているか否かを判断するにあたり、リードスイッチ２７０を利用する構成について説明したが、本発明はこれに限定されず、他のスイッチまたはセンサを利用する構成であってもよい。
【００７３】
［第３の実施形態］
上記第１の実施形態では、体温測定処理（図５）の終了を条件として、測定モードから測定値表示モードに遷移する構成としたが、本発明はこれに限定されない。例えば、体温測定処理の終了に加えてリードスイッチ２７０のＯＦＦ状態を条件として付加するようにしてもよい。
【００７４】
このような条件を付加した場合、リードスイッチ２７０がＯＦＦ状態の場合にのみ、即ち、本体部１１０が収納ケース１５０に収納された場合にのみ、データ処理モード、停止モード、メモモード、予測表示モード（予測生理日表示モード、予測排卵日表示モード）へ遷移することとなる。
【００７５】
反対に、リードスイッチ２７０がＯＮ状態の場合、即ち、本体部１１０が収納ケース１５０から取り出されている場合には、測定モードにのみ遷移することとなる。つまり、本体部１１０を収納ケースから１５０から取り出した後は、体温測定が可能となる一方で、各機能（メモ入力機能、次回生理日表示機能、次回排卵日表示機能、目覚まし時刻設定機能、音量設定機能、時刻設定機能）の利用を制限することができる。
【００７６】
［第４の実施形態］
上記第３の実施形態では、リードスイッチ２７０がＯＮ状態の場合、即ち、本体部１１０が収納ケース１５０から取り出されている場合に、各機能の利用を制限する構成としたが、本発明はこれに限定されず、本体部１１０が収納ケース１５０に収納されている場合と、本体部１１０が収納ケース１５０から取り出されている場合とで、利用可能な機能を変更する構成としてもよい。
【００７７】
図６（ａ）は、本体部１１０が収納ケース１５０から取り出されている場合に、選択機能表示領域３０１に表示されるアイコンの一例を示した図である。図６（ａ）に示すように、本体部１１０が収納ケース１５０から取り出されている状態では、メモ入力機能、次回生理日表示機能、次回排卵日表示機能を選択するためのアイコンのみが表示され、選択機能、目覚まし時刻設定機能、音量設定機能、時刻設定機能を選択するためのアイコンは表示されない（つまり、ユーザはこれらの機能を選択することができない）。
【００７８】
一方、図６（ｂ）は、本体部１１０が収納ケース１５０に収納されている場合に、選択機能表示領域３０１に表示されるアイコンの一例を示した図である。図６（ｂ）に示すように、本体部１１０が収納ケース１５０に収納されている状態では、すべての機能に対応するアイコンが表示される（つまり、ユーザはすべての機能を選択することができる）。
【００７９】
このように、本体部１１０が収納ケース１５０に収納されている場合と、取り出されている場合とで、利用可能な機能を変更する構成とすることで（つまり、必要に応じて特定のアイコンのみを表示する構成とすることで）、ユーザが、アイコンを選択する際の操作性を向上させることが可能となる。
【００８０】
［その他の実施形態］
上記第１の実施形態では、女性体温計の電源がＯＮ状態になるとデータ処理モードに遷移するよう構成したが、本発明はこれに限定されず、例えば、電源がオフにされたとき、あるいは、目覚まし設定時刻から所定時間（例えば、５時間）経過した際に遷移するように構成してもよい。
【００８１】
また、上記第１の実施形態では、データ処理モードにおいてデータ処理が行われる回数について特に言及しなかったが、例えば、データ処理は１日に１回のみ行われるように構成してもよい。この場合、１日に２回以上データ処理モードに遷移したとしても、２回目以降においては実際のデータ処理は行われず、次のモードに遷移することとなる。
【符号の説明】
【００８２】
１００・・・女性体温計、１１１・・・本体ケース、１１２・・・金属キャップ、１１３・・・表示部、１１４・・・入力ボタン、１２１・・・左ボタン、１２２・・・右ボタン、１３１・・・上ボタン、１３２・・・下ボタン、１４０・・・決定ボタン、１５０・・・収納ケース、１５１・・・磁性体、１５２・・・開口部、１５３・・・通気孔、１６１・・・案内リブ、１６２・・・支持リブ
【図１Ａ】
2012021886.tif 000003
【図１Ｂ】
2012021886.tif 000004
【図２】
2012021886.tif 000005
【図３】
2012021886.tif 000006
【図４】
2012021886.tif 000007
【図５】
2012021886.tif 000008
【図６】
2012021886.tif 000009